(57)【要約】【課題】打球の弾発力、即ち、遊技盤上へ打球を発射する強度を微細に調節し得るパチンコ遊技機用の打球発射ハンドルを提供する。【解決手段】遊技機１の前面に固設されるハンドルベース３の外周に操作レバー１１を回転操作可能に設け、該操作レバーを回転することにより内蔵された可変抵抗器４の抵抗値が変化し電磁アクチュエータによる打球の弾発力が調節されて飛距離が変化するパチンコ遊技機の打球発射ハンドルであって、操作レバーと一体的に回転する大径歯車１０を設け、ハンドルベースの一部にファイン操作用ダイヤル７を回転操作可能に設け、該ファイン操作用ダイヤルに設けた小径歯車９を前記大径歯車に噛合することにより該ファイン操作用ダイヤルの回転が減速して操作レバーに伝達されるようにした。【選択図】図５
2006288429.tif 000002
【特許請求の範囲】
【請求項１】
遊技機の前面に固設されるハンドルベースの外周に操作レバーを回転操作可能に設け、該操作レバーを回転することにより内蔵された可変抵抗器の抵抗値が変化し電磁アクチュエータによる打球の弾発力が調節されて飛距離が変化するパチンコ遊技機の打球発射ハンドルであって、操作レバーと一体的に回転する大径歯車を設け、ハンドルベースの一部にファイン操作用ダイヤルを回転操作可能に設け、該ファイン操作用ダイヤルに設けた小径歯車を前記大径歯車に噛合することにより該ファイン操作用ダイヤルの回転が減速して操作レバーに伝達されるようにしたことを特徴とするパチンコ遊技機の打球発射ハンドル。
【請求項２】
遊技機の前面に固設されるハンドルベースの外周に操作レバーを回転操作可能に設け、該操作レバーを回転することにより内蔵された可変抵抗器の抵抗値が変化し電磁アクチュエータによる打球の弾発力が調節されて飛距離が変化するパチンコ遊技機の打球発射ハンドルであって、操作レバーと可変抵抗器とは伝動歯車を介在させて連繋すると共に、操作レバーと一体的に回転する大径歯車を設け、ハンドルベースの一部にファイン操作用ダイヤルを回転操作可能に設け、該ファイン操作用ダイヤルに設けた小径歯車を前記大径歯車に噛合することにより該ファイン操作用ダイヤルの回転が減速して操作レバーに伝達されるようにしたことを特徴とするパチンコ遊技機の打球発射ハンドル。
【請求項３】
ファイン操作用ダイヤルは操作レバーと平行な面内で回転可能となるようにハンドルベースの一部に設けられ、該ファイン操作用ダイヤルの外周縁をハンドルベースの表面から突出させてなるものである請求項１または２に記載のパチンコ遊技機の打球発射ハンドル。
【請求項４】
ファイン操作用ダイヤルは正面から見て１０〜１１時の方角に外周縁が突出するようにハンドルベースに設けられている請求項１〜３のいずれかに記載のパチンコ遊技機の打球発射ハンドル。
【請求項５】
発射停止ボタンは正面から見て１〜２時の方角に突出するようにハンドルベースに設けられている請求項１〜４のいずれかに記載のパチンコ遊技機の打球発射ハンドル。
【発明の詳細な説明】
【技術分野】
【０００１】
本発明は、パチンコ遊技機に設けられる打球発射ハンドルにおいて、打球の弾発力、即ち、遊技盤上へ打球を発射する強度を微細に調節し得るようにする構造に関するものである。
【背景技術】
【０００２】
近時のパチンコ遊技機の打球発射ハンドルは、下記特許文献１にも示されたように、遊技機の前面に固設されるハンドルベースの外周に操作レバーが回転操作可能に設けられ、遊技者が該操作レバーを回転操作することにより内蔵された可変抵抗器の抵抗値が変化し、ロータリーソレノイド等の電磁アクチュエータによる打球の弾発力が調節されて飛距離が変化するように構成されている。
また、下記特許文献２は、操作レバーを任意の回転角度に保持できるように該操作レバーを固定する手段を設けたパチンコ遊技機が示されている。
【特許文献１】特許第２９９５４２９号公報
【特許文献２】特開２００４−６５３０８号公報
【発明の開示】
【発明が解決しようとする課題】
【０００３】
ところで、従来から上記操作レバーの回転角度は手首の回転可能角度に合わせて概ね９０度程度に設定されており、この範囲内にて飛距離が最小から最大まで変化するように設定されている。このため操作レバーを少し回転させるだけで飛距離が大きく変化してしまうという問題があった。即ち、従来の打球発射ハンドルは、飛距離をスピーディーに大まかに調節することは可能であったが、微細に調節することが困難であった。特に初心者にとっては飛距離を適切に調節することが難しいことから、遊技者間に技術力格差が生じさせるおそれがあった。
また、上記特許文献２に示された操作レバー固定手段は、操作レバーを任意の回転角度に保持し得るものであったが、飛距離を微細に調節することはできないものであった。
【０００４】
そこで本発明は、操作レバーの回転角度を微細に調節し得るファイン操作用ダイヤルを設け、打球の飛距離を初心者でも容易に微細に調節できるようにするものである。
【課題を解決するための手段】
【０００５】
そのために請求項１に記載した発明は、遊技機の前面に固設されるハンドルベースの外周に操作レバーを回転操作可能に設け、該操作レバーを回転することにより内蔵された可変抵抗器の抵抗値が変化し電磁アクチュエータによる打球の弾発力が調節されて飛距離が変化するパチンコ遊技機の打球発射ハンドルであって、操作レバーと一体的に回転する大径歯車を設け、ハンドルベースの一部にファイン操作用ダイヤルを回転操作可能に設け、該ファイン操作用ダイヤルに設けた小径歯車を前記大径歯車に噛合することにより該ファイン操作用ダイヤルの回転が減速して操作レバーに伝達されるようにしたことを特徴とする。
また、請求項２に記載した発明は、遊技機の前面に固設されるハンドルベースの外周に操作レバーを回転操作可能に設け、該操作レバーを回転することにより内蔵された可変抵抗器の抵抗値が変化し電磁アクチュエータによる打球の弾発力が調節されて飛距離が変化するパチンコ遊技機の打球発射ハンドルであって、操作レバーと可変抵抗器とは伝動歯車を介在させて連繋すると共に、操作レバーと一体的に回転する大径歯車を設け、ハンドルベースの一部にファイン操作用ダイヤルを回転操作可能に設け、該ファイン操作用ダイヤルに設けた小径歯車を前記大径歯車に噛合することにより該ファイン操作用ダイヤルの回転が減速して操作レバーに伝達されるようにしたことを特徴とする。
また、請求項３に記載した発明は、上記打球発射ハンドルにおいて、ファイン操作用ダイヤルは操作レバーと平行な面内で回転可能となるようにハンドルベースの一部に設けられ、該ファイン操作用ダイヤルの外周縁をハンドルベースの表面から突出させてなるものであることを特徴とする。
また、請求項４に記載した発明は、上記打球発射ハンドルにおいて、ファイン操作用ダイヤルは正面から見て１０〜１１時の方角に外周縁が突出するようにハンドルベースに設けられていることを特徴とする。
また、請求項５に記載した発明は、上記打球発射ハンドルにおいて、発射停止ボタンは正面から見て１〜２時の方角に突出するようにハンドルベースに設けられていることを特徴とする。
【発明の効果】
【０００６】
請求項１に記載した発明によれば、操作レバーの回転角度を微細に調節でき、打球の飛距離を初心者でも容易に微細に調節できる。
また、請求項２に記載した打球発射ハンドルでは、操作レバーの回転角度を微細に調節できることに加えて、操作レバーに想定外の過大な偏荷重が掛けられても可変抵抗器を故障から防御することができる。
また、請求項３〜５に記載した発明では、打球発射ハンドルの操作性をさらに向上させることができる。
【実施例１】
【０００７】
図１はパチンコ遊技機の正面図で、打球発射ハンドル１はパチンコ遊技機２の前面に向かって右下部に突出状に設けられる。また、図２はこの打球発射ハンドル１の外観斜視図、図３はその分解斜視図、図４は正面図、図５は縦断面図である。図中、３は筒状部３ａの先端に半球殻状部３ｂが一体に成形され、該半球殻状部内に隔壁３ｃが一体に成形されたハンドルベースで、該ハンドルベースがパチンコ遊技機２の前面に固着される。４は該隔壁３ｃの中心部に開設された透孔に回転軸４ｂを貫挿し、ナット４ａにより固着される回転角度検出用の可変抵抗器（ロータリーエンコーダ，ボリューム）である。また、５は該隔壁３ｃにビス５ｂにより固着されるスイッチ、５ａは突設された支軸３ｊにより揺動自在に枢着され該スイッチを作動させるために設けられた鉤形の連動部材で、該連動部材の一端に一体に発射停止ボタン６が形成され該発射停止ボタン６をハンドルベース３の外周縁に形成された透孔３ｋより突出させるようにする。
また、７は該隔壁３ｃの他方の外周縁部に形成された軸孔３ｄに支軸８を挿入することにより該ハンドルベース内に回転自在に支持されるファイン操作用ダイヤルで、該ファイン操作用ダイヤルには小径歯車９が一体に形成されている。また、該ファイン操作用ダイヤルの外周縁７ａは凹凸状に形成され、該外周縁を半球殻状部３ｂに形成された長孔３ｅから突出させている。
【０００８】
また、１０は扇形状の大径歯車、１１は環状の操作レバーで、該大径歯車の中心に中空筒状の軸部１０ａが一体に形成され、該軸部を操作レバー１１の中心に形成されたボス孔１１ａに嵌着することにより、該操作レバーと大径歯車とを固着すると共に、該軸部１０ａ中に可変抵抗器４の回転軸４ｂを貫挿することにより、該操作レバー１１がハンドルベース３の外周に回転操作可能に設けられる。そして、前記小径歯車９を該大径歯車１０に噛合する。これによりファイン操作用ダイヤル７の回転が減速して操作レバー１１に伝達されるようにする。
【０００９】
また、１２は巻きバネで、該巻きバネはハンドルベース３内に形成された筒状柱３ｆにビス１２ａを貫挿しナット１２ｂを螺合することにより該ビス１２ａに該巻きバネの一端を止着し、他端を操作レバー１１に形成された係合片１１ｂに止着することにより該操作レバー１１を正面から見て反時計方向に付勢させる。なお、操作レバー１１の外周には概ね指一本分の間隔を離して複数の指掛用突起１１ｃ〜１１ｅが連続する山並み状に形成されている。また、１３は略半球殻状に形成されたハンドルキャップで、該ハンドルキャップはハンドルベース３内に形成された筒状柱３ｇ，３ｈに後面から３本のビス１３ａ，１３ｂを貫挿することにより操作レバー１１が回転可能なるように所定の隙間を離して固定される。また、図５にも示したように、１４はハンドルキャップ１３の中心に固着された球面板、１５は該球面板の裏面に該球面板を支持するようにビス１５ａにより固着された支持体で、該支持体の裏面中心に突設されたボス１５ｃの先端部が前記ボス孔１１ａに遊嵌することによっても操作レバー１１は回転自在に支持されている。
【００１０】
このため、図４の正面図に示されるように、ファイン操作用ダイヤル７は外周縁が操作レバー１１の後側であって正面から見て時計の短針の１０〜１１時の方角にハンドルベース３の表面から突出するように設けられ、操作レバー１１と平行な面内で回転可能となる。
また、同図に示されるように、前記発射停止ボタン６は操作レバー１１の後側であって正面から見て時計の短針の１〜２時の方角に突出するようにハンドルベース３に設けられる。
【００１１】
このように構成した打球発射ハンドルは、図４に示したように常態では操作レバー１１は巻きバネ１２の弾性により初期回転位置に静止し、この状態では該操作レバー１１の裏面に突設された停止片１１ｆが前記連動部材５ａを介してスイッチ５をオフ作動させることから打球は発射されない。そして遊技者が指掛用突起１１ｃ〜１１ｅ間に右手の人差し指，中指等を通して操作レバー１１を時計方向に回転操作することにより、スイッチ５をオンさせる。これによって、図示しない打球発射装置におけるロータリーソレノイド等の電磁アクチュエータが作動し打球を弾発する。そして該操作レバー１１の回転は軸部１０ａを介して回転軸４ｂに伝達され可変抵抗器４の抵抗値を変化させることにより電磁アクチュエータによる弾発力が調節されて打球の飛距離が変化する。
【００１２】
また、操作レバー１１が回転操作されると大径歯車１０も一体的に回転し、小径歯車９を介してファイン操作用ダイヤル７が従動回転する。このとき、ファイン操作用ダイヤル７は正面から見て１０〜１１時の方角にあり遊技者の親指あたりに位置することとなるので、遊技者は該操作レバー１１を他の指で保持しつつ親指で該ファイン操作用ダイヤル７を回転操作することができる。該ファイン操作用ダイヤル７が回転操作されると、その回転は小径歯車９から大径歯車１０に伝達されることにより減速されて回転軸４ｂに伝達され、可変抵抗器４の抵抗値を微細に変化させることができる。即ち、ファイン操作用ダイヤル７を回転操作することにより可変抵抗器４の抵抗値を細かく変化させることができるので、電磁アクチュエータによる弾発力が微細に調節され、遊技者の所望位置に打球を飛ばすことができる。なお、この減速比率は小径歯車９と大径歯車１０の歯数を変更することにより所望に設定変更可能であるが、例えばその比率を１対８とする。なお、操作レバー１１は可変抵抗器４をダイレクトに操作することもできるので、ファイン操作用ダイヤル７を設けてもこれによって操作開始時等におけるスピーディーな操作性が損なわれるようなことはない。
【００１３】
また、発射停止ボタン６は正面から見て１〜２時の方角に突出しているため、遊技者は操作レバー１１を回転操作した状態にて必要に応じて中指または薬指等の指先で該発射停止ボタン６を操作することができる。従って、このように発射停止ボタン６およびファイン操作用ダイヤル７の適切に配置することにより打球発射ハンドルの操作性が大幅に向上する。
【実施例２】
【００１４】
一方、図６および図７は、請求項２に記載したように、操作レバーと可変抵抗器とを伝動歯車を介在させて連繋した実施例を示すもので、他の構成は実施例１と同様であるので同図中の同一構成部分に同一符号を付す。即ちこの実施例２では、大径歯車１０の軸部１０ａの外周に伝動歯車１６を一体に形成し、該伝動歯車と噛合する伝動歯車１７が外周に形成された軸体１８を可変抵抗器４の回転軸４ｂに固着することにより、操作レバー１１の回転が該伝動歯車１６，１７を介して可変抵抗器４に伝達されるようにしたものである。このためこの実施例では、例えば遊技者がコイン等の異物を操作レバー１１とハンドルベース３との隙間に挟むことによって該操作レバー１１が固定されたような場合等、操作レバー１１に想定外の偏荷重が掛かりそのために過大な曲げ力がその軸部１０ａに掛かったような場合でもその力が両伝動歯車１６，１７の噛合ギャップによって緩和され、曲げ力が直接に可変抵抗器４の回転軸４ｂに伝達されることがなくなる。このため、可変抵抗器４を接点不良、或いは破損等の故障から防御することができる。
【図面の簡単な説明】
【００１５】
【図１】本発明に係る打球発射ハンドルを設けたパチンコ遊技機の正面図。
【図２】本発明に係る打球発射ハンドルの外観斜視図。
【図３】本発明に係る打球発射ハンドルの分解斜視図。
【図４】本発明に係る打球発射ハンドルの正面図。
【図５】本発明に係る打球発射ハンドルの縦断面図。
【図６】本発明に係る打球発射ハンドルの他の実施例を示す分解斜視図。
【図７】図６に示した打球発射ハンドルの縦断面図。
【符号の説明】
【００１６】
１                打球発射ハンドル
２                パチンコ遊技機
３                ハンドルベース
４                可変抵抗器
５                スイッチ
６                発射停止ボタン
７                ファイン操作用ダイヤル
９                小径歯車
１０              大径歯車
１１              操作レバー
１１ｃ〜１１ｅ    指掛用突起
１６，１７        伝動歯車
【図１】
2006288429.tif 000003
【図２】
2006288429.tif 000004
【図３】
2006288429.tif 000005
【図４】
2006288429.tif 000006
【図５】
2006288429.tif 000007
【図６】
2006288429.tif 000008
【図７】
2006288429.tif 000009